(57)【要約】【課題】揺動する操作部の下方にシートが排出される構成において排出トレイにおけるシート詰まりを抑制することができる画像形成装置を提供する。【解決手段】画像形成装置１は、画像形成部を収容する下筐体２と、下筐体２の上面に設けられ、下筐体２から排出されるシートを支持する排出トレイ６と、画像読取部を有し、排出トレイ６の上方にシートが排出される排出空間６１を介して設けられた上筐体３と、上端部４ａが上筐体３のシートの排出方向下流側端部に揺動可能に支持され、下端部４ｂが排出トレイ６に近づく第１位置と排出トレイ６から離れる第２位置との間で揺動可能な操作部４と、上筐体３の排出空間６１に面する下面から操作部４の下端部４ｂに向けて延びるように設けられ、操作部４の揺動に連動して変位し、下筐体２から排出されるシートを案内するガイド部５とを備える。【選択図】図３
2018045185.tif 000002
【特許請求の範囲】
【請求項１】
画像形成部を収容する下筐体と、
前記下筐体の上面に設けられ、前記下筐体から排出されるシートを支持する排出トレイと、
画像読取部を有し、前記排出トレイの上方に前記シートが排出される排出空間を介して設けられた上筐体と、
上端部が前記上筐体の前記シートの排出方向下流側端部に揺動可能に支持され、下端部が前記排出トレイに近づく第１位置と前記排出トレイから離れる第２位置との間で揺動可能な操作部と、
前記上筐体の前記排出空間に面する下面から前記操作部の下端部に向けて延びるように設けられ、前記操作部の揺動に連動して変位し、前記下筐体から排出されるシートを案内するガイド部とを備えた画像形成装置。
【請求項２】
前記排出トレイに前記シートを搬送する第１排出ローラと、該第１排出ローラとニップを形成するように配置される第２排出ローラとを備え、
前記ガイド部は、前記第１排出ローラと前記第２排出ローラとのニップ点における接線と交差する位置に配置されることを特徴とする請求項１に記載の画像形成装置。
【請求項３】
前記排出トレイは、前記シートの排出方向上流側が下方へ傾斜した第１領域と、該第１領域よりも前記シートの排出方向下流側に位置し、前記第１領域よりも傾斜の緩い第２領域とを有し、
前記ガイド部は前記第２領域の鉛直上方に配置されることを特徴とする請求項１又は請求項２に記載の画像形成装置。
【請求項４】
前記排出トレイは、前記シートの排出方向上流側が下方へ傾斜した第１領域と、該第１領域よりも前記シートの排出方向下流側に位置し、前記第１領域よりも傾斜の緩い第２領域とを有し、
前記ガイド部は、前記排出トレイの前記第１領域を前記シートの排出方向下流側へ延長した仮想面と交差する位置に配置されることを特徴とする請求項１又は請求項２に記載の画像形成装置。
【請求項５】
前記操作部の下端部と上下に重なる位置にある前記ガイド部の幅方向の端部は、前記操作部の下端部の幅方向の端部より幅方向に突出する位置に配置されることを特徴とする請求項１から請求項４の何れか一項に記載の画像形成装置。
【請求項６】
前記ガイド部は、前記シートの排出方向に沿って前記シートを案内するガイドリブを有することを特徴とする請求項１から請求項５の何れか一項に記載の画像形成装置。
【請求項７】
前記ガイド部の前記シートの排出方向下流側端部と、前記操作部の下端部とを揺動可能に連結する第１連結部を備えたことを特徴とする請求項１から請求項６の何れか一項に記載の画像形成装置。
【請求項８】
前記ガイド部の前記シートの排出方向上流側端部と、前記上筐体とを揺動可能に連結する第２連結部を備えたことを特徴とする請求項１から請求項７の何れか一項に記載の画像形成装置。
【発明の詳細な説明】
【技術分野】
【０００１】
本発明は、胴内排紙型の画像形成装置に関する。
【背景技術】
【０００２】
従来から画像形成装置の上部にシートの排出空間を介して画像読取装置が配置された、いわゆる胴内排紙型の画像形成装置が知られている。特許文献１には、このような胴内排紙型の画像形成装置において画像読取装置の前部に上下方向に回動する操作部を設けた構成が開示されている。特許文献１では排出されたシートを積載するシート積載手段を前下がりに構成することで、操作部の位置に関係なくシートの視認性及び取り出し性を向上させている。
【先行技術文献】
【特許文献】
【０００３】
【特許文献１】特開２０１６−２４３５４号公報
【発明の概要】
【発明が解決しようとする課題】
【０００４】
ところで、排出されるシートは定着時の熱等によってカールしている場合がある。この場合、特許文献１の画像形成装置では特に操作部が鉛直方向に位置している状態において操作部の裏面にカールしたシートの先端が衝突し、排出空間でシートが詰まる可能性がある。そうすると、シートが折れ曲がったり、後続のシートがジャムしたりする。
【０００５】
本発明は、揺動する操作部の下方にシートが排出される構成において排出トレイにおけるシート詰まりを抑制することができる画像形成装置を提供することを目的とする。
【課題を解決するための手段】
【０００６】
本発明の画像形成装置は、画像形成部を収容する下筐体と、前記下筐体の上面に設けられ、前記下筐体から排出されるシートを支持する排出トレイと、画像読取部を有し、前記排出トレイの上方に前記シートが排出される排出空間を介して設けられた上筐体と、上端部が前記上筐体の前記シートの排出方向下流側端部に揺動可能に支持され、下端部が前記排出トレイに近づく第１位置と前記排出トレイから離れる第２位置との間で揺動可能な操作部と、前記上筐体の前記排出空間に面する下面から前記操作部の下端部に向けて延びるように設けられ、前記操作部の揺動に連動して変位し、前記下筐体から排出されるシートを案内するガイド部とを備える。
【０００７】
上記の構成によれば、ガイド部が操作部の揺動に連動して常に上筐体の下面から操作部の下端部に延びるように位置する。
【発明の効果】
【０００８】
本発明によれば、操作部の裏面にガイド部が配置されるため、排出空間６１に排出されるシートが操作部の裏面に衝突しないようにガイド部によって案内される。その結果、排出トレイにおけるシート詰まりを抑制することができる。
【図面の簡単な説明】
【０００９】
【図１】一実施形態の画像形成装置の斜視図である。
【図２】一実施形態の画像形成装置の正面図である。
【図３】図２のＡ−Ａ断面図である。
【図４】図３において操作部を第１位置に変位させた状態を示す図である。
【図５】変形例１のガイド部を示した断面図である。
【図６】図５において操作部を第１位置に変位させた状態を示す図である。
【図７】変形例２のガイド部を示した断面図である。
【図８】図７において操作部を第１位置に変位させた状態を示す図である。
【発明を実施するための形態】
【００１０】
以下の説明では、図１及び図２に示すように画像形成装置が使用可能に設置された状態を基準とし、前後、左右、上下の各方向を定める。
【００１１】
［画像形成装置の全体構成］
図１は本発明の一実施形態の画像形成装置の斜視図であり、図２はその正面図である。画像形成装置１は、いわゆる胴内排紙型と呼ばれる形態を有する。画像形成装置１は、下筐体２と、上筐体３と、操作部４と、ガイド部５とを備えている。
【００１２】
下筐体２は略直方体形状の筐体である。下筐体２には、シートを収容するシートカセットと、シートカセットからシートを搬送する搬送機構と、搬送機構によって搬送されてきたシートに画像を形成する画像形成部と、画像形成部から下筐体２外へシートを搬送する排出機構とが収容されている（図示せず）。画像形成部の構成には特に限定はなく、電子写真方式、インクジェット方式、サーマルヘッド方式などの構成を用いることができる。
【００１３】
また、下筐体２の上面には排出機構によって排出されるシートを支持する排出トレイ６が設けられている。排出トレイ６は下筐体２の上面に後側から前側に向かって凸状に湾曲しつつ登るように傾斜した形状に形成されている。これにより、画像が形成されたシートは、排出機構によって後側から前側に向かって排出トレイ６に排出される。
【００１４】
上筐体３は、本体３１と、左脚部３２と、右脚部３３とを備えている。本体３１には、原稿台に載置された原稿を読み取る画像読取部（図示せず）と、ＡＤＦ（ａｕｔｏ  ｄｏｃｕｍｅｎｔ  ｆｅｅｄｅｒ）３４とが収容されている。左脚部３２及び右脚部３３はそれぞれ本体３１の下面の左端部及び右端部に配置され、下筐体２の上面の左端部及び右端部に設置される。これにより、上筐体３は排出トレイ６の上方にシートが排出される排出空間６１を介して設置される。
【００１５】
操作部４は略直方体形状のパネルであり、液晶パネル等の表示具と、タッチパネルや操作ボタン等の操作具とを備えている。操作部４は上筐体３の前端部３ａに支持される。具体的には、操作部４は下端部が排出トレイ６に近づくことで前下がりに位置する第１位置と、下端部が排出トレイ６から離れることで略水平に位置する第２位置との間で揺動可能に支持されている。図１及び図２では、操作部４が第２位置に位置する状態を示している。
【００１６】
ガイド部５は、上筐体３の排出空間６１に面する下面から操作部４の下端部に向けて延びるように設けられ、操作部４の揺動に連動して変位し、下筐体２から排出されるシートを案内する部材である。ガイド部５の後端部５ｂは操作部４より後方に位置する。
【００１７】
［ガイド部の構成］
図３は図２のＡ−Ａ断面図であり、図４は図３において操作部４を第１位置に変位させた状態を示す図である。操作部４の左右側面の上端部４ａには、左右方向に延びるボス４０がそれぞれ形成されている。ボス４０は上筐体３の前端部３ａの内側にそれぞれ形成された孔部（図示せず）に挿入されている。これにより、操作部４は上筐体３に揺動可能に支持される。
【００１８】
ガイド部５は矩形の板状部材である。本実施形態ではガイド部５は平板状とするが、凹状又は凸状に湾曲した板状であってもよい。ガイド部５のシートの排出方向下流側端部である前端部５ａと操作部４の下端部４ｂとは、左右両端部分においてそれぞれ第１連結部Ｃ１によって揺動可能に連結されている。第１連結部Ｃ１は、ガイド部５側に形成された左右方向に延びる軸部５１と、操作部４側に形成された左右方向に貫通する孔部４１とが嵌合して構成される。このように、第１連結部Ｃ１による簡単な構成によって操作部４でガイド部５の下流側端部を支持することができる。
【００１９】
また、ガイド部５のシートの排出方向上流側端部である後端部５ｂにおける左右両側部分と左脚部３２及び右脚部３３の内側面とは、それぞれ第２連結部Ｃ２によって揺動可能に連結されている。第２連結部Ｃ２は、ガイド部５側に形成された左右方向に延びるボス５２と、左脚部３２及び右脚部３３側に形成された溝部４２とが係合して構成される。左脚部３２に形成された溝部４２は、図３に示すように右側からみた場合に、前上部から後下部へ向かって直線状に延びる長溝である。この構成により、ボス５２が溝部４２に沿って案内され、ガイド部５が揺動する。このように、第２連結部Ｃ２による簡単な構成によって上筐体３でガイド部５の上流側端部を支持することができる。
【００２０】
このような第１連結部Ｃ１と第２連結部Ｃ２とを設けることにより、図３に示す第２位置にある操作部４を押し下げて図４に示す第１位置へ揺動させた場合、ガイド部５は操作部４の揺動に連動して図３に示す位置から図４に示す位置へ変位する。具体的には、ガイド部５は、操作部４が第２位置にあるときには、上方に移動して略水平姿勢となり、操作部４が第１位置にあるときには、下方に移動して前端部５ａが後端部５ｂよりも下方に位置する傾斜姿勢となる。
【００２１】
また、ガイド部５にはシートの排出方向に沿ってシートを案内するガイドリブ５３が形成されている。具体的にガイドリブ５３は、ガイド部５の下面に形成され、前後方向に平行に所定の間隔で複数形成されている。ガイドリブ５３によってガイド部５とシートとの接触面積が減ることで搬送抵抗が減り、シートがガイド部５に沿ってスムーズに排出される。なお、ガイドリブ５３の代わりに、帯電防止フィルムを貼着したり、ガイド部５を金属製としたりすることによっても、同様の効果を得ることができる。
【００２２】
ガイド部５は以下の配置となるように設計されている。図３及び図４に示すように、下筐体２に収容される排出機構は、排出トレイ６にシートを搬送する第１排出ローラ７１と、第１排出ローラ７１の上方に第１排出ローラ７１とニップを形成するように配置される第２排出ローラ７２とを排出口に備えている。
【００２３】
そして、ガイド部５は、第１排出ローラ７１と第２排出ローラ７２とのニップ点における接線７３と交差する位置を含むように配置されている。排出トレイ６に排出されるシートは第１排出ローラ７１と第２排出ローラ７２とのニップ点における接線７３に沿って排出空間６１内を搬送され易く、この場合、シートはガイド部５へ向かって搬送される。よって、ガイド部５はシートを確実に案内することができ、排出空間６１におけるシート詰まりを抑制することができる。
【００２４】
一方、排出トレイ６は、シートの排出方向上流側である後側が下方へ傾斜した第１領域６ａと、第１領域６ａよりもシートの排出方向下流側である前側に位置し、第１領域６ａよりも傾斜の緩い第２領域６ｂとを有する。図３では、第１領域６ａが第１排出ローラ７１の下方から前側へ湾曲しながら上っており、第２領域６ｂが第１領域６ａの前端から前側へ水平に下筐体２の前端部まで延びている。
【００２５】
そして、ガイド部５は第２領域６ｂの鉛直上方に配置されている。排出トレイ６は第１領域６ａ及び第２領域６ｂによってシートの排出方向上流側よりも下流側の高さが高くなっているので、排出トレイ６上に排出されるシートは第１領域６ａから第２領域６ｂに亘って前上がりに支持され易い。このとき、ガイド部５が第２領域６ｂの鉛直上方に配置されていることで、シートを確実に案内することができ、排出空間６１におけるシート詰まりを抑制することができる。
【００２６】
さらに、ガイド部５は排出トレイ６の第１領域６ａをシートの排出方向下流側である前側へ延長した仮想面６２と交差する位置を含むように配置されている。この構成によれば、シートが第１領域６ａ及び第２領域６ｂの形状に沿って積載されている場合に、新たに排出されてくるシートは積載されたシートの上面に沿って搬送され易く、第１領域６ａの形状に沿って搬送され易い。このとき、ガイド部５が仮想面６２と交差する位置に配置されていることにより、ガイド部５は新たに排出されてくるシートを確実に案内することができる。
【００２７】
このように、上記の画像形成装置１においてガイド部５は、上筐体３の排出空間６１に面する下面から操作部４の下端部４ｂに向けて延びるように設けられ、操作部４の揺動に連動して変位し、下筐体２から排出されるシートを案内する。この構成によれば、ガイド部５は操作部４の揺動に連動して常に上筐体３の下面から操作部４の下端部４ｂに延びるように位置する。よって、排出空間６１に排出されるシートは操作部４の裏面４ｃに衝突しないようにガイド部５によって案内される。その結果、排出トレイ６におけるシート詰まりを抑制することができる。
【００２８】
［変形例１］
ガイド部の変形例１について図５及び図６を参照して説明する。図５は変形例１のガイド部を示した断面図であり、図３と同じ位置の断面である。図６は図５において操作部４を第１位置に変位させた状態を示す図である。
【００２９】
ガイド部８は、矩形の板状部材である前板部８１と、矩形の板状部材であって前板部８１とスライド可能に連結された後板部８２とを有する。前板部８１のシートの排出方向下流側端部である前端部８１ａと操作部４の下端部４ｂとは、左右両端部分においてそれぞれ第３連結部Ｃ３によって揺動可能に連結されている。第３連結部Ｃ３は、前板部８１側に形成された左右方向に延びる軸部８１１と、操作部４側に形成された左右方向に貫通する孔部４１とが嵌合して構成される。このように、第３連結部Ｃ３による簡単な構成によって操作部４で前板部８１の下流側端部を支持することができる。
【００３０】
また、後板部８２のシートの排出方向上流側端部である後端部８２ｂにおける左右両側部分と左脚部３２及び右脚部３３の内側面とは、それぞれ第４連結部Ｃ４によって揺動可能に連結されている。第４連結部Ｃ４は、後板部８２側に形成された左右方向に延びるボス８２１と、左脚部３２及び右脚部３３側に形成された孔部（図示せず）とが嵌合して構成される。このように、第４連結部Ｃ４による簡単な構成によって上筐体３で後板部８２の上流側端部を支持することができる。
【００３１】
また、前板部８１の後端部８１ｂと後板部８２の前端部８２ａとは、左右両側部分においてそれぞれ第５連結部Ｃ５によってスライド可能に連結されている。第５連結部Ｃ５は、前板部８１側に形成された左右方向に延びるボス８１２と、後板部８２側に形成された左右方向に貫通する孔部８２２とが係合して構成される。孔部８２２は、図５に示すように右側からみた場合に、後板部８２の前端部８２ａから後端部８２ｂへ向かって延びる長孔である。この構成により、ボス８１２が孔部８２２に沿って案内され、前板部８１が後板部８２に対してスライドする。
【００３２】
変形例１の構成によれば、図５に示す第２位置にある操作部４を押し下げて図６に示す第１位置へ揺動させた場合、ガイド部８は操作部４の揺動に連動して収縮しながら図５に示す位置から図６に示す位置へ変位する。
【００３３】
［変形例２］
ガイド部の変形例２について図７及び図８を参照して説明する。図７は変形例２のガイド部を示した断面図であり、図３と同じ位置の断面である。図８は図７において操作部４を第１位置に変位させた状態を示す図である。
【００３４】
ガイド部９は矩形の板状部材である。ガイド部９のシートの排出方向下流側端部である前端部９ａは、操作部４の下端部４ｂ付近又は下端部４ｂに接触する位置にある。ガイド部９のシートの排出方向上流側端部である後端部９ｂにおける左右両側部分と左脚部３２及び右脚部３３の内側面とは、それぞれ第６連結部Ｃ６によって揺動可能に連結されている。第６連結部Ｃ６は、ガイド部９側に形成された左右方向に延びるボス９１と、左脚部３２及び右脚部３３側に形成された孔部（図示せず）とが嵌合して構成される。このように、第６連結部Ｃ６による簡単な構成によって上筐体３でガイド部９の上流側端部を支持することができる。
【００３５】
また、左脚部３２の孔部とガイド部９の左側面との間に、第１プーリ９２が配置されている。第１プーリ９２はボス９１に固定され、ボス９１を中心として回転可能である。この構成により、ガイド部９は第１プーリ９２の回転に連動してボス９１を中心に揺動する。
【００３６】
また、操作部４の左側面と上筐体３の前端部３ａの内側に形成された孔部との間に、第２プーリ９３が配置されている。第２プーリ９３はボス４０に固定され、ボス４０を中心として回転可能である。この構成により、操作部４の揺動に連動して第２プーリ９３が回転する。
【００３７】
第１プーリ９２と第２プーリ９３とにはベルト９４が掛けられている。この構成により、操作部４の揺動に連動して第２プーリ９３が回転すると、ベルト９４が駆動して第１プーリ９２が回転し、第１プーリ９２の回転に連動してガイド部９が揺動する。
【００３８】
変形例２の構成によれば、図７に示す第２位置にある操作部４を押し下げて図８に示す第１位置へ揺動させた場合、ガイド部９は操作部４の揺動に連動して図７に示す位置から図８に示す位置へ変位する。
【００３９】
このように、変形例１のガイド部８及び変形例２のガイド部９は、上筐体３の排出空間６１に面する下面から操作部４の下端部４ｂに向けて延びるように設けられ、操作部４の揺動に連動して変位し、下筐体２から排出されるシートを案内する。この構成によれば、ガイド部８、９は操作部４の揺動に連動して常に上筐体３の下面から操作部４の下端部４ｂに延びるように位置する。よって、排出空間６１に排出されるシートは操作部４の裏面４ｃに衝突しないようにガイド部８、９によって案内される。その結果、排出トレイ６におけるシート詰まりを抑制することができる。
【００４０】
なお、変形例１又は変形例２のガイド部８、９に上記の実施形態と同様にガイドリブを設けてもよい。また、ガイド部８、９は、第１排出ローラ７１と第２排出ローラ７２とのニップ点における接線７３と交差する位置を含むように配置してもよい。また、ガイド部８、９は、第２領域６ｂの鉛直上方に配置してもよい。また、ガイド部８、９は、排出トレイ６の第１領域６ａをシートの排出方向下流側である前側へ延長した仮想面６２と交差する位置を含むように配置してもよい。
【００４１】
［変形例３］
上記の実施形態においては、図２に示したように、左脚部３２と右脚部３３との間の距離と、操作部４の左右方向の幅とがほぼ同じであるので、ガイド部５の左右方向の幅は操作部４の左右方向の幅と同じになっている。ここで他の形態として左脚部と右脚部との間の距離に対して操作部４の左右方向の幅が短い形態も考えられる。この場合、ガイド部５の左右方向の幅は操作部４の左右方向の幅より長いことが好ましい。
【００４２】
例えば、操作部４の下端部４ｂと上下に重なる位置にあるガイド部５の幅方向の端部５ｃ、５ｄ（図２参照）を、操作部４の下端部４ｂの幅方向の端部４ｄ、４ｅより幅方向に突出する位置に配置することができる。このように、操作部４よりも幅広のガイド部とすることによって、排出空間６１に排出されるシートの左右前端部が操作部４の裏面４ｃに衝突しにくくなる。
【００４３】
［実施形態の効果］
上記の実施形態である画像形成装置１は、画像形成部を収容する下筐体２と、下筐体２の上面に設けられ、下筐体２から排出されるシートを支持する排出トレイ６と、画像読取部を有し、排出トレイ６の上方にシートが排出される排出空間６１を介して設けられた上筐体３とを備える。また画像形成装置１は、上端部４ａが上筐体３のシートの排出方向下流側端部に揺動可能に支持され、下端部４ｂが排出トレイ６に近づく第１位置と排出トレイ６から離れる第２位置との間で揺動可能な操作部４を備える。また画像形成装置１は、上筐体３の排出空間６１に面する下面から操作部４の下端部４ｂに向けて延びるように設けられ、操作部４の揺動に連動して変位し、下筐体２から排出されるシートを案内するガイド部５を備える。
【００４４】
この構成によれば、ガイド部５が操作部４の揺動に連動して常に上筐体３の下面から操作部４の下端部４ｂに延びるように位置することにより、排出空間６１に排出されるシートが操作部４の裏面に衝突しないようにガイド部５によって案内される。その結果、排出トレイ６におけるシート詰まりを抑制することができる。
【００４５】
また上記の実施形態である画像形成装置１は、排出トレイ６にシートを搬送する第１排出ローラ７１と、第１排出ローラ７１とニップを形成するように配置される第２排出ローラ７２とを備える。そして、ガイド部５は、第１排出ローラ７１と第２排出ローラ７２とのニップ点における接線７３と交差する位置に配置される。
【００４６】
排出トレイ６に排出されるシートは第１排出ローラ７１と第２排出ローラ７２とのニップ点における接線７３に沿って排出空間６１内を搬送され易く、この構成によれば、シートはガイド部５へ向かって搬送される。よって、ガイド部５はシートを確実に案内することができ、排出空間６１におけるシート詰まりを抑制することができる。
【００４７】
また上記の実施形態である画像形成装置１によれば、排出トレイ６は、シートの排出方向上流側が下方へ傾斜した第１領域６ａと、第１領域６ａよりもシートの排出方向下流側に位置し、第１領域６ａよりも傾斜の緩い第２領域６ｂとを有し、ガイド部５は第２領域６ｂの鉛直上方に配置される。
【００４８】
この構成によれば、排出トレイ６は第１領域６ａ及び第２領域６ｂによってシートの排出方向上流側よりも下流側の高さが高くなっているので、排出トレイ６上に排出されるシートは第１領域６ａから第２領域６ｂに亘って前上がりに支持され易い。このとき、ガイド部５が第２領域６ｂの鉛直上方に配置されていることで、シートを確実に案内することができ、排出空間６１におけるシート詰まりを抑制することができる。
【００４９】
また上記の実施形態である画像形成装置１によれば、排出トレイ６は、シートの排出方向上流側が下方へ傾斜した第１領域６ａと、第１領域６ａよりもシートの排出方向下流側に位置し、第１領域６ａよりも傾斜の緩い第２領域６ｂとを有し、ガイド部５は、排出トレイ６の第１領域６ａをシートの排出方向下流側へ延長した仮想面６２と交差する位置に配置される。
【００５０】
この構成によれば、シートが第１領域６ａ及び第２領域６ｂの形状に沿って積載されている場合に、新たに排出されてくるシートは積載されたシートの上面に沿って搬送され易く、第１領域６ａの形状に沿って搬送され易い。このとき、ガイド部５が仮想面６２と交差する位置に配置されていることにより、ガイド部５は新たに排出されてくるシートを確実に案内することができる。
【００５１】
また上記の変形例３によれば、操作部４の下端部４ｂと上下に重なる位置にあるガイド部５の幅方向の端部は、操作部４の下端部４ｂの幅方向の端部より幅方向に突出する位置に配置される。
【００５２】
このように、操作部４よりも幅広のガイド部とすることによって、排出空間６１に排出されるシートの左右前端部が操作部４の裏面４ｃに衝突しにくくなる。
【００５３】
また上記の実施形態である画像形成装置１によれば、ガイド部５は、シートの排出方向に沿ってシートを案内するガイドリブ５３を有する。
【００５４】
この構成によれば、ガイドリブ５３によってガイド部５とシートとの接触面積が減ることで搬送抵抗が減り、シートがガイド部５に沿ってスムーズに排出される。
【００５５】
また上記の実施形態である画像形成装置１は、ガイド部５のシートの排出方向下流側端部と、操作部４の下端部４ｂとを揺動可能に連結する第１連結部Ｃ１を備える。
【００５６】
この構成によれば、第１連結部Ｃ１による簡単な構成によって操作部４でガイド部５の下流側端部を支持することができる。
【００５７】
また上記の実施形態である画像形成装置１は、ガイド部５のシートの排出方向上流側端部と、上筐体３とを揺動可能に連結する第２連結部Ｃ２を備える。
【００５８】
この構成によれば、第２連結部Ｃ２による簡単な構成によって上筐体３でガイド部５の上流側端部を支持することができる。
【符号の説明】
【００５９】
１          画像形成装置
２          下筐体
３          上筐体
４          操作部
５、８、９  ガイド部
６          排出トレイ
６ａ        第１領域
６ｂ        第２領域
５３        ガイドリブ
６１        排出空間
６２        仮想面
７１        第１排出ローラ
７２        第２排出ローラ
７３        接線
Ｃ１        第１連結部
Ｃ２        第２連結部
【図１】
2018045185.tif 000003
【図２】
2018045185.tif 000004
【図３】
2018045185.tif 000005
【図４】
2018045185.tif 000006
【図５】
2018045185.tif 000007
【図６】
2018045185.tif 000008
【図７】
2018045185.tif 000009
【図８】
2018045185.tif 000010